(57)【特許請求の範囲】
【請求項１】
被制御機器としての録画機器との間でネットワークを介して常時接続を行っている情報管理装置に接続される情報処理装置とネットワークを介して接続される携帯機器において、
自機器の識別情報である第１の識別情報を前記情報処理装置に送信することによって前記録画機器の登録を要求し、要求に応じて、前記情報管理装置により生成され、前記情報処理装置を介して送信されてきた、前記情報処理装置により提供されるサービスと制御機器としての自機器との組み合わせを表す第２の識別情報と登録用パスワードとを受信する通信手段と、
前記登録用パスワードを近距離の通信によって前記録画機器に送信する送信手段と、
録画予約を設定する設定手段と、
録画予約の一覧を表示することが指示されたとき、前記第２の識別情報を前記情報処理装置に送信して、前記録画機器に設定されている録画予約の内容を表す情報を前記情報処理装置に対して要求し、前記第２の識別情報と対応付けて前記情報管理装置に登録されている複数の前記録画機器から前記情報処理装置により取得され、まとめて送信されてきた複数の前記録画機器に設定されている録画予約の内容を表す情報を受信して取得する取得手段と、
前記設定手段により自機器に設定されている録画予約と、前記取得手段により取得された情報により表される前記録画機器に設定されている録画予約を統合する統合手段と、
前記統合手段により統合された録画予約に基づいて、自機器に設定されている録画予約の内容と前記録画機器に設定されている録画予約の内容を、それぞれの録画予約に従って録画が行われたときのコンテンツの記録場所が、自機器の記録媒体であるのか、前記録画機器の記録媒体であるのかを表す情報とともに表示する表示制御手段と
を備え、
前記送信手段により送信された前記登録用パスワードを受信した前記録画機器においては、前記登録用パスワードが前記情報管理装置に対して送信され、
前記情報管理装置においては、前記録画機器から送信されてきた前記登録用パスワードとともに前記録画機器の登録が要求されたときに生成した前記第２の識別情報と、前記録画機器の識別情報である第３の識別情報とを対応付けることによって前記録画機器の登録が行われる
携帯機器。
【請求項２】
前記設定手段は、さらに、所定の録画予約に従って録画が行われたときのコンテンツの記録場所を自機器の記録媒体から前記録画機器の記録媒体に変更することが指示された場合、前記所定の録画予約を削除するとともに、前記所定の録画予約により録画の対象とされているコンテンツの録画予約を前記録画機器に設定することを前記情報処理装置に対して要求し、
前記情報処理装置は、前記携帯機器からの要求があったとき、前記録画機器にアクセスすることによって、要求されたコンテンツの録画予約を前記録画機器に設定させる
請求項１に記載の携帯機器。
【請求項３】
前記設定手段は、さらに、所定の録画予約に従って録画が行われたときのコンテンツの記録場所を前記録画機器の記録媒体から自機器の記録媒体に変更することが指示された場合、前記所定の録画予約により録画の対象とされているコンテンツの録画予約を設定するとともに、前記所定の録画予約を前記録画機器から削除することを前記情報処理装置に対して要求し、
前記情報処理装置は、前記携帯機器からの要求があったとき、前記録画機器にアクセスすることによって、要求されたコンテンツの録画予約を前記録画機器に削除させる
請求項１に記載の携帯機器。
【請求項４】
被制御機器としての録画機器との間でネットワークを介して常時接続を行っている情報管理装置に接続される情報処理装置とネットワークを介して接続される携帯機器の情報処理方法において、
自機器の識別情報である第１の識別情報を前記情報処理装置に送信することによって前記録画機器の登録を要求し、要求に応じて、前記情報管理装置により生成され、前記情報処理装置を介して送信されてきた、前記情報処理装置により提供されるサービスと制御機器としての自機器との組み合わせを表す第２の識別情報と登録用パスワードとを受信し、
前記登録用パスワードを近距離の通信によって前記録画機器に送信し、
録画予約を設定し、
録画予約の一覧を表示することが指示されたとき、前記第２の識別情報を前記情報処理装置に送信して、前記録画機器に設定されている録画予約の内容を表す情報を前記情報処理装置に対して要求し、前記第２の識別情報と対応付けて前記情報管理装置に登録されている複数の前記録画機器から前記情報処理装置により取得され、まとめて送信されてきた複数の前記録画機器に設定されている録画予約の内容を表す情報を受信して取得し、
自機器に設定している録画予約と、取得した情報により表される前記録画機器に設定されている録画予約を統合し、
統合した録画予約に基づいて、自機器に設定している録画予約の内容と前記録画機器に設定されている録画予約の内容を、それぞれの録画予約に従って録画が行われたときのコンテンツの記録場所が、自機器の記録媒体であるのか、前記録画機器の記録媒体であるのかを表す情報とともに表示する
ステップを含み、
送信した前記登録用パスワードを受信した前記録画機器においては、前記登録用パスワードが前記情報管理装置に対して送信され、
前記情報管理装置においては、前記録画機器から送信されてきた前記登録用パスワードとともに前記録画機器の登録が要求されたときに生成した前記第２の識別情報と、前記録画機器の識別情報である第３の識別情報とを対応付けることによって前記録画機器の登録が行われる
情報処理方法。
【請求項５】
被制御機器としての録画機器との間でネットワークを介して常時接続を行っている情報管理装置に接続される情報処理装置とネットワークを介して接続される携帯機器の情報処理をコンピュータに実行させるプログラムにおいて、
自機器の識別情報である第１の識別情報を前記情報処理装置に送信することによって前記録画機器の登録を要求し、要求に応じて、前記情報管理装置により生成され、前記情報処理装置を介して送信されてきた、前記情報処理装置により提供されるサービスと制御機器としての自機器との組み合わせを表す第２の識別情報と登録用パスワードとを受信し、
前記登録用パスワードを近距離の通信によって前記録画機器に送信し、
録画予約を設定し、
録画予約の一覧を表示することが指示されたとき、前記第２の識別情報を前記情報処理装置に送信して、前記録画機器に設定されている録画予約の内容を表す情報を前記情報処理装置に対して要求し、前記第２の識別情報と対応付けて前記情報管理装置に登録されている複数の前記録画機器から前記情報処理装置により取得され、まとめて送信されてきた複数の前記録画機器に設定されている録画予約の内容を表す情報を受信して取得し、
自機器に設定している録画予約と、取得した情報により表される前記録画機器に設定されている録画予約を統合し、
統合した録画予約に基づいて、自機器に設定している録画予約の内容と前記録画機器に設定されている録画予約の内容を、それぞれの録画予約に従って録画が行われたときのコンテンツの記録場所が、自機器の記録媒体であるのか、前記録画機器の記録媒体であるのかを表す情報とともに表示する
ステップを含み、
送信した前記登録用パスワードを受信した前記録画機器においては、前記登録用パスワードが前記情報管理装置に対して送信され、
前記情報管理装置においては、前記録画機器から送信されてきた前記登録用パスワードとともに前記録画機器の登録が要求されたときに生成した前記第２の識別情報と、前記録画機器の識別情報である第３の識別情報とを対応付けることによって前記録画機器の登録が行われる
プログラム。
【発明の詳細な説明】
【技術分野】
【０００１】
本発明は、携帯機器、情報処理方法、およびプログラムに関し、特に、携帯機器に設定されている録画予約の内容と録画機器に設定されている録画予約の内容を、統合して表示することができるようにした携帯機器、情報処理方法、およびプログラムに関する。
【背景技術】
【０００２】
近年、自宅にあるハードディスクレコーダや録画機能を搭載したパーソナルコンピュータなどの録画機器に設定しておいた録画予約の内容を、ネットワークを経由して、モバイル機器の画面上で確認することができるようなサービスが提供されている。
【０００３】
例えば、録画予約の内容を確認することがユーザにより指示されたとき、録画機器に対してモバイル機器から電子メールによって問い合わせが行われ、問い合わせに応じてサーバから返信された電子メールに含まれる情報に基づいて、録画予約の内容がモバイル機器の画面に表示される。
【０００４】
これにより、ユーザは、外出先からでも、自宅にある録画機器に設定しておいた録画予約の内容を確認することができる。
【０００５】
ところで、近年、ワンセグ放送に対応したモバイル機器が普及してきている。ワンセグ放送に対応したモバイル機器の中には録画機能を搭載したものもあり、ユーザは、モバイル機器に対しても録画予約を設定したり、録画済のコンテンツを視聴したりすることができる。また、次世代モバイル放送規格としてISDB-Tmm、MediaFLOなどの方式が提案されており、今後益々モバイル機器向けの放送が浸透していくと想定される。
【０００６】
また、ユーザは、自宅にある録画機器には映画やドラマの録画予約を設定し、モバイル機器にはニュース番組の録画予約を設定するといったように、コンテンツに応じて、録画させる機器を使い分けることができる。
【０００７】
【特許文献１】特開２００７−１２９３９７号公報
【発明の開示】
【発明が解決しようとする課題】
【０００８】
録画機器に設定しておいた録画予約の内容を確認するためにはユーザは録画機器のUI(User Interface)を使ってそれを行う必要があり、一方、モバイル機器に設定しておいた録画予約の内容を確認するためにはモバイル機器のUIを使ってそれを行う必要がある。
【０００９】
従って、複数の機器に設定している録画予約の内容を確認するためには、録画予約の一覧を表示させる操作をそれぞれの機器に対して行わなければならず、利便性が低い。
【００１０】
仮に、１つの機器に対する操作だけで、複数の機器に設定している録画予約の内容をまとめて確認することができるとすれば利便性を向上させることができるものと考えられる。
【００１１】
本発明はこのような状況に鑑みてなされたものであり、携帯機器に設定されている録画予約の内容と録画機器に設定されている録画予約の内容を、統合して表示することができるようにするものである。
【課題を解決するための手段】
【００１２】
本発明の一側面の携帯機器は、被制御機器としての録画機器との間でネットワークを介して常時接続を行っている情報管理装置に接続される情報処理装置とネットワークを介して接続される携帯機器において、自機器の識別情報である第１の識別情報を前記情報処理装置に送信することによって前記録画機器の登録を要求し、要求に応じて、前記情報管理装置により生成され、前記情報処理装置を介して送信されてきた、前記情報処理装置により提供されるサービスと制御機器としての自機器との組み合わせを表す第２の識別情報と登録用パスワードとを受信する通信手段と、前記登録用パスワードを近距離の通信によって前記録画機器に送信する送信手段と、録画予約を設定する設定手段と、録画予約の一覧を表示することが指示されたとき、前記第２の識別情報を前記情報処理装置に送信して、前記録画機器に設定されている録画予約の内容を表す情報を前記情報処理装置に対して要求し、前記第２の識別情報と対応付けて前記情報管理装置に登録されている複数の前記録画機器から前記情報処理装置により取得され、まとめて送信されてきた複数の前記録画機器に設定されている録画予約の内容を表す情報を受信して取得する取得手段と、前記設定手段により自機器に設定されている録画予約と、前記取得手段により取得された情報により表される前記録画機器に設定されている録画予約を統合する統合手段と、前記統合手段により統合された録画予約に基づいて、自機器に設定されている録画予約の内容と前記録画機器に設定されている録画予約の内容を、それぞれの録画予約に従って録画が行われたときのコンテンツの記録場所が、自機器の記録媒体であるのか、前記録画機器の記録媒体であるのかを表す情報とともに表示する表示制御手段とを備える。
【００１３】
前記設定手段には、さらに、所定の録画予約に従って録画が行われたときのコンテンツの記録場所を自機器の記録媒体から前記録画機器の記録媒体に変更することが指示された場合、前記所定の録画予約を削除させるとともに、前記所定の録画予約により録画の対象とされているコンテンツの録画予約を前記録画機器に設定することを前記情報処理装置に対して要求させることができる。この場合、前記情報処理装置には、前記携帯機器からの要求があったとき、前記録画機器にアクセスすることによって、要求されたコンテンツの録画予約を前記録画機器に設定させることができる。
【００１４】
前記設定手段には、さらに、所定の録画予約に従って録画が行われたときのコンテンツの記録場所を前記録画機器の記録媒体から自機器の記録媒体に変更することが指示された場合、前記所定の録画予約により録画の対象とされているコンテンツの録画予約を設定させるとともに、前記所定の録画予約を前記録画機器から削除することを前記情報処理装置に対して要求させることができる。この場合、前記情報処理装置には、前記携帯機器からの要求があったとき、前記録画機器にアクセスすることによって、要求されたコンテンツの録画予約を前記録画機器に削除させることができる。
【００１６】
本発明の一側面の情報処理方法またはプログラムは、自機器の識別情報である第１の識別情報を情報処理装置に送信することによって録画機器の登録を要求し、要求に応じて、情報管理装置により生成され、前記情報処理装置を介して送信されてきた、前記情報処理装置により提供されるサービスと制御機器としての自機器との組み合わせを表す第２の識別情報と登録用パスワードとを受信し、前記登録用パスワードを近距離の通信によって前記録画機器に送信し、録画予約を設定し、録画予約の一覧を表示することが指示されたとき、前記第２の識別情報を前記情報処理装置に送信して、前記録画機器に設定されている録画予約の内容を表す情報を情報処理装置に対して要求し、前記第２の識別情報と対応付けて前記情報管理装置に登録されている複数の前記録画機器から前記情報処理装置により取得され、まとめて送信されてきた複数の前記録画機器に設定されている録画予約の内容を表す情報を受信して取得し、自機器に設定している録画予約と、取得した情報により表される前記録画機器に設定されている録画予約を統合し、統合した録画予約に基づいて、自機器に設定している録画予約の内容と前記録画機器に設定されている録画予約の内容を、それぞれの録画予約に従って録画が行われたときのコンテンツの記録場所が、自機器の記録媒体であるのか、前記録画機器の記録媒体であるのかを表す情報とともに表示するステップを含む。
【００１７】
本発明の一側面においては、自機器の識別情報である第１の識別情報を情報処理装置に送信することによって録画機器の登録が要求され、要求に応じて、情報管理装置により生成され、前記情報処理装置を介して送信されてきた、前記情報処理装置により提供されるサービスと制御機器としての自機器との組み合わせを表す第２の識別情報と登録用パスワードとが受信される。また、前記登録用パスワードが近距離の通信によって前記録画機器に送信される。録画予約が設定され、録画予約の一覧を表示することが指示されたとき、前記第２の識別情報が前記情報処理装置に送信されて、前記録画機器に設定されている録画予約の内容を表す情報が情報処理装置に対して要求され、前記第２の識別情報と対応付けて前記情報管理装置に登録されている複数の前記録画機器から前記情報処理装置により取得され、まとめて送信されてきた複数の前記録画機器に設定されている録画予約の内容を表す情報が受信して取得される。また、自機器に設定されている録画予約と、取得された情報により表される前記録画機器に設定されている録画予約が統合され、統合された録画予約に基づいて、自機器に設定されている録画予約の内容と前記録画機器に設定されている録画予約の内容が、それぞれの録画予約に従って録画が行われたときのコンテンツの記録場所が、自機器の記録媒体であるのか、前記録画機器の記録媒体であるのかを表す情報とともに表示される。
【発明の効果】
【００１８】
本発明の一側面によれば、携帯機器に設定されている録画予約の内容と録画機器に設定されている録画予約の内容を、統合して表示することができる。
【発明を実施するための最良の形態】
【００１９】
図１は、本発明の一実施形態に係る通信システムの構成例を示す図である。
【００２０】
図１の通信システムは、制御機器としてのモバイル機器１、サービスサーバ２−１，２−２、DAP(Direct Access Platform)サーバ３、被制御機器としての録画機器４から構成される。
【００２１】
それぞれの機器はネットワークに接続されており、図１の矢印で示されるように、制御機器とサービスサーバ２−１，２−２、サービスサーバ２−１，２−２とDAPサーバ３、サービスサーバ２−１，２−２と被制御機器、DAPサーバ３と被制御機器の間で、それぞれの機器が相互に通信を行うことができるようになされている。
【００２２】
モバイル機器１は携帯電話機などの携帯型の機器であり、制御対象となる録画機器４をネットワークを介して制御する制御機器としても用いられる。
【００２３】
モバイル機器１はワンセグ放送などのモバイル向け放送を受信可能な機器である。モバイル機器１は、放送中のコンテンツを受信し、ディスプレイにコンテンツの映像を表示させたり、コンテンツの録画を行ったりする。コンテンツの録画は、録画の開始がユーザにより指示されたときや、あらかじめ設定された録画予約に従って、録画の対象になっているコンテンツの放送が開始されたときに実行される。ユーザは、EPG(Electronic Program Guide)データに基づいて表示される番組表から録画の対象とするコンテンツを選択し、録画予約を設定することができる。
【００２４】
モバイル機器１の内部に設けられるメモリなどよりなる記憶部には予約リストが格納されており、録画予約が設定されたとき、その内容を表す情報が予約リストに記述される。予約リストには、録画の対象とするそれぞれのコンテンツについて、放送開始日時、放送時間、放送チャンネル、コンテンツのタイトルなどの情報が記述される。
【００２５】
モバイル機器１の記憶部には、モバイル機器１に割り当てられているユーザ識別情報や、コンテンツのリモート録画予約処理などの各種の処理を行うためのプログラムも記憶される。
【００２６】
制御機器として、ノートブック型のパーソナルコンピュータや、PDA(Personal Digital Assistance)などの他の携帯型の機器が用いられるようにしてもよい。
【００２７】
サービスサーバ２−１，２−２は、ネットワークを介して被制御機器を制御するサービスを制御機器に提供するサーバである。図１の例においては、サービスサーバ２−１，２−２の２つのサービスサーバが示されているが、例えば、提供するサービス毎に、さらに多くのサービスサーバが用意される。以下、サービスサーバ２−１がサービスを提供する場合について説明する。サービスサーバ２−２においても同様の処理が行われる。
【００２８】
DAPサーバ３は、制御機器とその制御機器が受けるサービス（制御機器がアクセスするサービスサーバ２−１）の組み合わせと、制御対象となる被制御機器の対応関係を一元的に管理するサーバである。DAPサーバ３は、それぞれのサービスサーバからの問い合わせに応じて、問い合わせをしてきたサービスサーバが被制御機器にアクセスするために必要な情報を提供する。
【００２９】
すなわち、被制御機器である録画機器４をネットワークを介して制御するサービスを利用する場合、ユーザは、モバイル機器１による制御の対象とする録画機器４の情報をDAPサーバ３にあらかじめ登録しておく必要がある。登録の詳細については後述する。
【００３０】
DAPサーバ３とサービスサーバ２−１の間では、例えば、SOAP(Simple Object Access Protocol)による通信によってデータの送受信が行われる。
【００３１】
SOAPによる通信においては、XML(eXtensible Markup Language)文書にエンベロープと呼ばれる付帯情報が付いたメッセージがHTTP(Hyper Text Transfer Protocol)などのプロトコルによって交換され、処理が進められる。クライアントとなる機器とサーバとなる機器の双方がSOAPの生成・解釈エンジンを持つことで、異なる環境間でのオブジェクトの呼び出しが可能になっている。
【００３２】
また、DAPサーバ３と被制御機器である録画機器４の間では、例えば、XMPP(eXtensible Messaging and Presence Protocol)による通信によって、双方向の常時セッションが確立される。
【００３３】
XMPPは、リアルタイムのコミュニケーションを実現するためのプロトコルであり、インスタントメッセンジャ（IM(Instant Messenger)）サービスなどにおいても用いられる。インスタントメッセンジャサービスにおいては、インターネット上でIMクライアントがオンラインの状態にあるかどうかが調べられ、オンラインの状態にあるIMクライアント同士で、チャットやファイル交換などを行うことができるようになされている。
【００３４】
録画機器４は、ハードディスクなどの記録媒体を内蔵し、放送コンテンツをその記録媒体に録画したり、録画済みのコンテンツを再生したりする。
【００３５】
ユーザは、テレビジョン受像機などに表示される番組表から録画の対象とするコンテンツを選択し、録画機器４に録画予約を設定することができる。
【００３６】
録画機器４の記憶部には予約リストが格納されており、録画予約が設定されたとき、その内容を表す情報が予約リストに記述される。予約リストには、モバイル機器１の記憶部に格納されている予約リストと同様に、録画の対象とするそれぞれのコンテンツについて、放送開始日時、放送時間、放送チャンネル、コンテンツのタイトルなどの情報が記述される。
【００３７】
図１の例においては、被制御機器として録画機器４が示されているが、録画機能を有するパーソナルコンピュータなどが被制御機器となることも可能である。
【００３８】
このような構成を有する図１の通信システムにおいて、例えば、モバイル機器１を操作しているユーザが、モバイル機器１のディスプレイに表示された番組表から選択したコンテンツのリモート録画予約を指示したとき、モバイル機器１からサービスサーバ２−１に対してそのことが要求され、サービスサーバ２−１により、録画機器４にアクセスするために必要な情報がDAPサーバ３から取得される。
【００３９】
サービスサーバ２−１においては、DAPサーバ３から取得された情報に基づいて、ネットワークを介して録画機器４に対してアクセスが行われ、モバイル機器１のユーザにより選択されたコンテンツの録画予約を設定することがサービスサーバ２−１から録画機器４に指示される。
【００４０】
このように、サービスサーバ２−１においては、録画機器４にアクセスするために必要な情報がDAPサーバ３から取得された後、DAPサーバ３を介してではなく、直接、録画機器４に対してアクセスが行われる。
【００４１】
以下、適宜、サービスサーバ２−１から録画機器４に対して行われるアクセスをダイレクトアクセスという。DAPサーバ３は、ダイレクトアクセスを実現するプラットフォーム（Direct Access Platform）を提供するサーバといえる。
【００４２】
また、図１の通信システムにおいては、ダイレクトアクセスの仕組みを利用して、ユーザは、モバイル機器１に設定している録画予約の内容とともに、録画機器４に設定している録画予約の内容をモバイル機器１のディスプレイに表示させることができるようになされている。
【００４３】
図２は、モバイル機器１において管理されている予約リストと、録画機器４において管理されている予約リストの統合の流れを示す図である。
【００４４】
図２の例においては、被制御機器として録画機器４−１と録画機器４−２が示されている。図２は、録画機器４−１と録画機器４−２の２つの録画機器をユーザが自宅に設置している場合の例を示している。
【００４５】
録画機器４−１と録画機器４−２のそれぞれの情報がDAPサーバ３に登録されているものとする。登録が終了し、必要に応じて認証処理が行われた後、矢印＃１に示されるように、録画機器４−１とDAPサーバ３の間では常時セッションが確立される。また、矢印＃２に示されるように、録画機器４−２とDAPサーバ３の間でも常時セッションが確立される。
【００４６】
録画機器４−１と録画機器４−２においては、録画予約の内容を表す情報が記述された予約リストが予約リスト保存領域に記憶され、管理されている。
【００４７】
このような状態において、例えば、ユーザが、モバイル機器１を操作して録画予約の一覧を表示することを指示した場合、モバイル機器１からサービスサーバ２−１に対して、予約リストの取得が要求される。
【００４８】
モバイル機器１からの要求に応じて、サービスサーバ２−１とDAPサーバ３の間では、矢印＃３に示されるように通信が行われ、モバイル機器１に紐付けられている被制御機器のリストがサービスサーバ２−１によりDAPサーバ３から取得される。この例の場合、DAPサーバ３から取得される被制御機器のリストには、録画機器４−１と録画機器４−２のIDなどの情報が記述される。
【００４９】
また、録画機器４−１にアクセスするために必要なURL(Uniform Resource Locator)などの情報と録画機器４−２にアクセスするために必要な情報がそれぞれサービスサーバ２−１によりDAPサーバ３から取得される。
【００５０】
録画機器４−１にアクセスするために必要な情報が取得されたとき、矢印＃４に示されるように、サービスサーバ２−１から録画機器４−１に対してダイレクトアクセスが行われ、録画機器４−１において管理されている予約リストがサービスサーバ２−１により取得される。
【００５１】
また、録画機器４−２にアクセスするために必要な情報が取得されたとき、矢印＃５に示されるように、サービスサーバ２−１から録画機器４−２に対してダイレクトアクセスが行われ、録画機器４−２において管理されている予約リストがサービスサーバ２−１により取得される。
【００５２】
サービスサーバ２−１からモバイル機器１に対しては、ダイレクトアクセスにより取得された、録画機器４−１において管理されていた予約リストと、録画機器４−２において管理されていた予約リストが矢印＃６に示されるように送信される。
【００５３】
モバイル機器１においては、録画機器４−１と録画機器４−２においてそれぞれ管理されていた予約リストと、内部の予約リスト保存領域から矢印＃７に示されるようにして読み出された予約リストが統合され、統合された予約リストに基づいて録画予約の一覧が表示される。
【００５４】
図３は、モバイル機器１のディスプレイに表示される録画予約の一覧画面の例を示す図である。
【００５５】
図３に示されるように、録画予約の一覧には、録画の対象になっているそれぞれのコンテンツについて、放送チャンネル、放送日時、尺の長さ（放送時間）、番組名、保存場所の情報が表示される。
【００５６】
保存場所（記録場所）は、録画予約が設定されている機器、すなわち、設定されている録画予約に従って録画が行われた場合に、コンテンツの記録場所がどの機器の記録媒体となるのかを表す。「自端末」はコンテンツの記録場所がモバイル機器１の記録媒体であることを表す。「機器Ａ」はコンテンツの記録場所が録画機器４−１の記録媒体であることを表し、「機器Ｂ」はコンテンツの記録場所が録画機器４−２の記録媒体であることを表す。
【００５７】
図３の１番上の録画予約が対象とするコンテンツの放送チャンネルは「１０１」とされ、放送日時は「６／２５  １９：００−１９：３０」とされている。放送時間は３０分であることがマークｍ1により表され、番組名は「７時のニュース」とされている。また、記録場所は「自端末」とされている。
【００５８】
すなわち、この１番上の録画予約は、ユーザがモバイル機器１に設定しておいた録画予約であり、この録画予約の情報は、モバイル機器１により管理されていた予約リストの記述に基づいて表示されたものである。
【００５９】
コンテンツの放送時間を表すマークは、その１つが１時間を表す。１時間以内の時間は、１つのマークに付される色によって表される。
【００６０】
一方、上から３番目の録画予約が対象とするコンテンツの放送チャンネルは「１０８」とされ、放送日時は「６／２６  １０：００−１２：００」とされている。放送時間は２時間とされ、番組名は「日本×オーストラリア」とされている。また、記録場所は「機器Ａ」とされている。
【００６１】
すなわち、この上から３番目の録画予約は、ユーザが録画機器４−１に設定しておいた録画予約であり、この録画予約の情報は、録画機器４−１により管理されていた予約リストの記述に基づいて表示されたものである。
【００６２】
このような画面から、ユーザは、モバイル機器１に設定しておいた録画予約の内容だけでなく、録画機器４−１，４−２に設定しておいた録画予約の内容も確認することができる。
【００６３】
なお、複数の機器に同じコンテンツを対象とする録画予約を設定していた場合、同じコンテンツを対象とする録画予約の情報が、録画予約を設定していた機器の数の分だけ並べて表示される。これにより、ユーザは、同じコンテンツを対象とする録画予約を複数の機器に設定していることを容易に確認することができる。
【００６４】
それぞれの機器に設定しておいた録画予約の内容を確認するだけでなく、ユーザは、この画面から、コンテンツの記録場所を容易に変更することができるようになされている。
【００６５】
例えば、１番上の録画予約の記録場所の欄に表示されている下向き三角のボタンｂ1を押したとき、「７時のニュース」のコンテンツの記録場所として選択可能な記録場所のリストがプルダウン形式で表示される。
【００６６】
この例においては、記録場所のリストにはモバイル機器１を表す「自端末」、録画機器４−１を表す「機器Ａ」、録画機器４−２を表す「機器Ｂ」の、それぞれの機器の名前が表示される。記録場所のリストから「機器Ａ」が選択されたとき、「７時のニュース」のコンテンツの記録場所の欄には、「自端末」に代えて「機器Ａ」が表示される。
【００６７】
「７時のニュース」のコンテンツの記録場所の欄に「機器Ａ」が表示された状態で画面の下方の更新ボタンｂ2が押されたとき、モバイル機器１に設定されていた「７時のニュース」のコンテンツを対象とする録画予約が削除される。また、その代わりに、「７時のニュース」のコンテンツの録画予約が録画機器４−１に新たに設定される。録画機器４−１に対して「７時のニュース」のコンテンツの録画予約を設定することも、ダイレクトアクセスを用いて行われる。
【００６８】
同様に、上から３番目の録画予約の記録場所の欄に表示されている下向き三角のボタンｂ3を押したとき、「日本×オーストラリア」のコンテンツの記録場所として選択可能な記録場所のリストがプルダウン形式で表示される。
【００６９】
記録場所のリストから「自端末」が選択されたとき、「日本×オーストラリア」のコンテンツの記録場所の欄には、「機器Ａ」に代えて「自端末」が表示される。
【００７０】
「日本×オーストラリア」のコンテンツの記録場所の欄に「自端末」が表示された状態で更新ボタンｂ2が押されたとき、録画機器４−１に設定されていた「日本×オーストラリア」のコンテンツの録画予約が削除される。また、その代わりに、「日本×オーストラリア」のコンテンツの録画予約がモバイル機器１に新たに設定される。録画機器４−１から「日本×オーストラリア」のコンテンツの録画予約を削除することも、ダイレクトアクセスを用いて行われる。
【００７１】
このように、ユーザは、それぞれの機器の録画予約の状態を一覧画面から確認し、設定しておいた録画予約を見直すことができる。
【００７２】
例えば、記録媒体の空き容量が少ないために、設定しておいた録画予約に従ってモバイル機器１に録画を行わせることができない場合、ユーザは、モバイル機器１を操作して、モバイル機器１に録画させようとしていたコンテンツを他の機器に録画させることができる。
【００７３】
図３に示されるマークｍ2は、上から２番目の録画予約に従って、「９時のニュース」のコンテンツを録画できないことを表す。このマークｍ2が表示されることによって、ユーザは見直しが必要な録画予約を確認することができる。
【００７４】
また、ユーザは、携帯型の機器であるモバイル機器１で視聴するには放送時間が長すぎるコンテンツがある場合、そのコンテンツを録画機器４−１に録画させるように録画予約を変更することもできる。ユーザは、放送時間の欄に表示されるマークの数や色分けから、それぞれのコンテンツの放送時間を判断することができる。
【００７５】
さらに、ユーザは、録画の対象になっている他のコンテンツの放送時間と放送時間が重複するコンテンツがある場合、一方のコンテンツを他の機器に録画させるように録画予約を変更することもできる。
【００７６】
図３のマークｍ3，ｍ4は、マークｍ3の右側に表示されている上から６番目の録画予約が対象とする「日本×ロシア」のコンテンツの放送時間と、マークｍ4の右側に表示されている上から７番目の録画予約が対象とする「日本×エチオピア」のコンテンツの放送時間が一部重複していることを表す。
【００７７】
この例においては、「日本×ロシア」のコンテンツの放送日時は「６／２９  １２：００−１４：００」とされ、「日本×エチオピア」のコンテンツの放送日時は「６／２９  １１：００−１３：００」とされている。いずれの録画予約も録画機器４−１に設定されているものであるから、録画機器４−１が複数のコンテンツを同時に録画することができない機器である場合、録画機器４−１においては、放送時間が重複する「１２：００−１３：００」の時間帯にいずれかのコンテンツを録画することができない。
【００７８】
このような状態を一覧画面から確認した場合、ユーザは、例えば、「日本×ロシア」のコンテンツの記録場所を他の機器に変更することで、「日本×ロシア」のコンテンツと「日本×エチオピア」のコンテンツの両方のコンテンツを録画しておくことができる。
【００７９】
以上のような画面を表示させるために各機器により行われる処理と、記録場所を変更する操作が行われたときに各機器により行われる処理についてはフローチャートを参照して後述する。
【００８０】
ここで、ダイレクトアクセスを用いて被制御機器を制御するための前処理として行われる初期登録について説明する。
【００８１】
ダイレクトアクセスを用いて被制御機器を制御するためには、通信相手となる機器がネットワークに接続された機器のうちのどの機器であるのかをそれぞれの機器が特定する必要がある。初期登録によって、その特定に必要な情報がDAPサーバ３に登録される。
【００８２】
図４は、初期登録の全体的な流れを示す図である。詳細についてはフローチャートを参照して後述する。ここでは、録画機器４−１の情報を登録する場合の処理について説明する。同様の処理が、録画機器４−２の情報を登録する場合にも行われる。
【００８３】
初期登録は、制御機器であるモバイル機器１のディスプレイに表示されるメニュー画面などから、ユーザが初期登録を行うことを指示したときに開始される。
【００８４】
初期登録は、基本的に、制御機器とサービスの組み合わせをDAPサーバ３に登録する処理と、制御機器とサービスの組み合わせと、被制御機器の対応付けをDAPサーバ３に登録する処理からなる。モバイル機器１からの要求に応じて、このうちの前者の処理が開始される。
【００８５】
初期登録を行うことが指示されたとき、図４の矢印＃１に示されるように、モバイル機器１は、登録要求をサービスサーバ２−１に送信する。
【００８６】
モバイル機器１からの要求を受信したとき、矢印＃２に示されるように、サービスサーバ２−１は、登録要求をDAPサーバ３に送信する。
【００８７】
サービスサーバ２−１からの要求を受信したDAPサーバ３は、登録用パスワードを生成するとともに、サービスサーバ２−１が提供するサービスとそれを利用するモバイル機器１の組合せを表すID（後述する制御機器・サービス管理ID）を生成し、生成した登録用パスワードとIDを対応付けて登録する。
【００８８】
DAPサーバ３は、生成した登録用パスワードを矢印＃３に示されるようにサービスサーバ２−１に送信し、発行する。
【００８９】
DAPサーバ３により発行された登録用パスワードは、矢印＃４に示されるように、サービスサーバ２−１からモバイル機器１に送信され、モバイル機器１の記憶部に記憶される。
【００９０】
ユーザは、登録用パスワードを録画機器４−１に送信することにより、録画機器４−１を被制御機器としてDAPサーバ３に登録することが可能になる。
【００９１】
例えば、ユーザが自宅にいるときに、モバイル機器１の赤外線信号の出力部を録画機器４−１に向け、登録用パスワードの送信を指示したとき、矢印＃５に示されるように、モバイル機器１は登録用パスワードを録画機器４−１に送信する。このとき、制御機器とサービスの組み合わせと、被制御機器の対応付けをDAPサーバ３に登録する上述した後者の処理が開始される。
【００９２】
録画機器４−１は、矢印＃６に示されるように、登録用パスワードをDAPサーバ３に送信し、自身を被制御機器として登録することを要求する。
【００９３】
サービスサーバ２−１に発行した登録用パスワードと、録画機器４−１から送信された登録用パスワードが一致する場合、DAPサーバ３は、サービスサーバ２−１が提供するサービスとそれを利用するモバイル機器１の組合せを表すものとして登録しておいたIDと、録画機器４−１に対して割り当てたIDを対応付けて登録する。
【００９４】
DAPサーバ３は、録画機器４−１のIDの登録を完了したとき、矢印＃７に示されるように登録用パスワードを受信したことに対する応答コマンドを録画機器４−１に送信する。
【００９５】
これにより、制御機器としてユーザが利用するモバイル機器１とそのモバイル機器１が受けるサービスの組合せと、被制御機器である録画機器４−１の対応関係がDAPサーバ３に登録されたことになる。
【００９６】
次に、図５のフローチャートを参照して、初期登録時の各機器の処理について説明する。
【００９７】
初期登録を開始することがユーザにより指示されたとき、ステップＳ１において、モバイル機器１は、登録要求をサービスサーバ２−１に送信する。
【００９８】
ステップＳ１１において、サービスサーバ２−１は、モバイル機器１から送信された登録要求を受信し、受信した要求に含まれるユーザ識別情報を内部の記憶部に記憶する。
【００９９】
ステップＳ１２において、サービスサーバ２−１は、記憶部に記憶されているサービスIDを含む制御機器・サービス管理ID取得要求をDAPサーバ３に送信する。制御機器・サービス管理IDは、それぞれのサービスサーバが提供するサービスとその提供を受ける制御機器の組み合わせに対してユニークに割り当てられるIDである。
【０１００】
ステップＳ２１において、DAPサーバ３は、サービスサーバ２−１から送信された制御機器・サービス管理ID取得要求を受信し、制御機器・サービス管理IDを新たに生成する。DAPサーバ３は、生成した制御機器・サービス管理IDを記憶部に記憶する。
【０１０１】
ステップＳ２２において、DAPサーバ３は、制御機器・サービス管理IDをサービスサーバ２−１に送信する。
【０１０２】
ステップＳ１３において、サービスサーバ２−１は、DAPサーバ３から送信された制御機器・サービス管理IDを受信し、受信した制御機器・サービス管理IDを、モバイル機器１のユーザ識別情報と対応付けて記憶部に記憶する。
【０１０３】
ステップＳ１４において、サービスサーバ２−１は、登録用パスワード発行要求をDAPサーバ３に送信する。サービスサーバ２−１から送信される登録用パスワード発行要求には制御機器・サービス管理IDが含まれる。
【０１０４】
ステップＳ２３において、DAPサーバ３は、サービスサーバ２−１から送信された要求を受信する。サービスサーバ２−１からの要求に含まれる制御機器・サービス管理IDが記憶部に既に記憶されているため、DAPサーバ３は、登録用パスワードを新たに生成する。
【０１０５】
ステップＳ２４において、DAPサーバ３は、登録用パスワードとその有効期限の情報をサービスサーバ２−１に送信するとともに、制御機器・サービス管理IDと対応付けて、登録用パスワードを記憶部に記憶する。
【０１０６】
ステップＳ１５において、サービスサーバ２−１は、DAPサーバ３から送信された登録用パスワードと有効期限の情報を受信する。
【０１０７】
ステップＳ１６において、サービスサーバ２−１は、制御機器・サービス管理IDとともに、登録用パスワードと有効期限の情報をモバイル機器１に送信する。
【０１０８】
ステップＳ２において、モバイル機器１は、サービスサーバ２−１から送信された情報を受信し、受信した制御機器・サービス管理ID、登録用パスワード、および有効期限の情報を内部の記憶部に記憶する。
【０１０９】
登録用パスワードの送信がユーザにより指示されたとき、ステップＳ３において、モバイル機器１は、DAPサーバ３から発行された登録用パスワードを赤外線による通信によって録画機器４−１に送信する。赤外線による通信以外に、USBケーブルを介した通信、無線LAN(Local Area Network)による通信、非接触ICカード−リーダライタ間の通信などによって登録用パスワードが録画機器４−１に送信されるようにしてもよい。
【０１１０】
ステップＳ３１において、録画機器４−１は、モバイル機器１から送信された登録用パスワードを受信する。
【０１１１】
ステップＳ３２において、録画機器４−１は、モバイル機器１から送信された登録用パスワードを含む登録要求を、常時セッションを介してDAPサーバ３に送信する。
【０１１２】
ステップＳ２５において、DAPサーバ３は、録画機器４−１からの要求を受信し、受信した要求に含まれる登録用パスワードが記憶部に登録されているものと一致するか否かのチェックと、登録用パスワードの有効期限のチェックを行う。
【０１１３】
登録用パスワードが記憶部に登録されているものと一致し、かつ、登録用パスワードの有効期限が切れていないことを確認した場合、DAPサーバ３は、録画機器４−１から送信された登録用パスワードと対応付けて登録している制御機器・サービス管理IDに対して、録画機器４−１の被制御機器IDを関連付ける。被制御機器IDは、それぞれの被制御機器にDAPサーバ３内でユニークに割り当てられる識別情報である。
【０１１４】
これにより、制御機器・サービス管理IDと、録画機器４−１に対して割り当てられた被制御機器IDが関連付けられた状態になる。DAPサーバ３は、制御機器・サービス管理IDに基づいて、制御対象となる被制御機器を識別することが可能となる。
【０１１５】
なお、１つの制御機器・サービス管理IDに対して複数の被制御機器IDが関連付けられるようにしてもよいし、複数の制御機器・サービス管理IDが１つの被制御機器IDに関連付けられるようにしてもよい。
【０１１６】
ステップＳ２６において、DAPサーバ３は、登録用パスワードを受信したことに対する応答コマンドを録画機器４−１に送信する。
【０１１７】
ステップＳ３３において、録画機器４−１はDAPサーバ３からの通知を受信する。
【０１１８】
ステップＳ２７において、DAPサーバ３は、初期登録が完了したことをサービスサーバ２−１に通知する。
【０１１９】
ステップＳ１７において、サービスサーバ２−１は、DAPサーバ３からの通知を受信し、ステップＳ１８において、応答コマンドをDAPサーバ３に送信する。
【０１２０】
ステップＳ２８において、DAPサーバ３は、サービスサーバ２−１から送信された応答コマンドを受信し、初期登録処理を終了させる。初期登録処理が終了した後、DAPサーバ３と録画機器４−１の間では常時セッションが確立される。
【０１２１】
以上の処理により、ユーザは、制御対象とする録画機器４−１に登録用パスワードを送信するだけで、録画機器４−１の情報をDAPサーバ３に登録することができる。
【０１２２】
次に、ダイレクトアクセスを利用して行われるリモート録画予約について説明する。
【０１２３】
図６は、リモート録画予約の全体的な流れを示す図である。詳細についてはフローチャートを参照して後述する。
【０１２４】
リモート録画予約は、例えば、モバイル機器１のディスプレイに表示される番組表からユーザが所定のコンテンツを選択し、その録画予約を録画機器４−１に設定することを指示したときに開始される。DAPサーバ３と録画機器４−１の間では常時セッションが確立されているものとする。
【０１２５】
録画予約を設定することが指示されたとき、図６の矢印＃１に示されるように、モバイル機器１は、リモート録画予約の要求をサービスサーバ２−１に送信する。モバイル機器１からの要求には、録画の対象とするコンテンツの情報が含まれる。
【０１２６】
モバイル機器１からの要求を受信したとき、矢印＃２に示されるように、サービスサーバ２−１は、録画予約を開始することの要求をDAPサーバ３に送信する。この要求に応じて、ダイレクトアクセスを行うために必要になる情報を取得することがDAPサーバ３により行われる。
【０１２７】
サービスサーバ２−１からの要求を受信したとき、矢印＃３に示されるように、DAPサーバ３は、録画予約を開始することの要求を録画機器４−１に送信する。
【０１２８】
DAPサーバ３からの要求に応じて、録画機器４−１は、サービスサーバ２−１によるダイレクトアクセスを受けるための各種の設定を行う。設定が完了したとき、録画機器４−１は、矢印＃４に示されるように、ダイレクトアクセス用として割り当てたURLなどのアクセス先の情報をDAPサーバ３に送信する。
【０１２９】
アクセス先の情報は、矢印＃５に示されるようにDAPサーバ３からサービスサーバ２−１に送信される。
【０１３０】
アクセス先の情報を受信したとき、サービスサーバ２−１は、矢印＃６に示されるように、アクセス先の情報に基づいて録画機器４−１にダイレクトアクセスを行い、録画予約の設定を指示する。
【０１３１】
録画予約の設定が完了したとき、録画機器４−１は、矢印＃７に示されるように、録画予約の設定が完了したことを処理結果としてサービスサーバ２−１に通知する。
【０１３２】
サービスサーバ２−１は、録画機器４−１からの通知を矢印＃８に示されるようにモバイル機器１に送信し、録画予約の設定が完了したことを通知する。
【０１３３】
次に、図７のフローチャートを参照して、リモート録画予約時の各機器の処理について説明する。
【０１３４】
リモート録画予約を行うことがユーザにより指示された場合、ステップＳ４１において、モバイル機器１は、被制御機器リストの取得要求をサービスサーバ２−１に送信する。この要求には、初期登録時にサービスサーバ２−１から送信された制御機器・サービス管理IDが含まれる。
【０１３５】
ステップＳ５１において、サービスサーバ２−１は、モバイル機器１からの要求を受信する。
【０１３６】
ステップＳ５２において、サービスサーバ２−１は、被制御機器リストの取得要求をDAPサーバ３に送信する。被制御機器リストの取得要求には制御機器・サービス管理IDが含まれる。
【０１３７】
ステップＳ７１において、DAPサーバ３は、サービスサーバ２−１からの要求を受信し、受信した要求に含まれる制御機器・サービス管理IDと対応付けて登録している被制御機器IDを取得する。初期登録が行われている場合、DAPサーバ３の記憶部には、制御機器・サービス管理IDが、被制御機器である録画機器４−１の被制御機器IDと対応付けて記憶されている。
【０１３８】
また、初期登録時に、機器Ａ、機器Ｂなどの、被制御機器の名前も登録されている場合、DAPサーバ３は、特定した被制御機器の機器名も取得する。
【０１３９】
ステップＳ７２において、DAPサーバ３は、モバイル機器１から制御可能な被制御機器のリストである被制御機器リストを生成し、生成した被制御機器リストをサービスサーバ２−１に送信する。被制御機器リストには、それぞれの被制御機器の名前と被制御機器IDが含まれる。
【０１４０】
ステップＳ５３において、サービスサーバ２−１は、DAPサーバ３から送信された被制御機器リストを受信し、ステップＳ５４において、被制御機器リストをモバイル機器１に送信する。
【０１４１】
ステップＳ４２において、モバイル機器１は、サービスサーバ２−１から送信された被制御機器リストを受信し、被制御機器リストに基づいて、被制御機器の一覧をディスプレイに表示する。ユーザは、一覧に表示される機器の中から、リモート録画予約を設定する機器として録画機器４−１を選択することができる。
【０１４２】
録画の対象とするコンテンツが番組表から選択され、録画予約の設定先となる被制御機器が選択された場合、ステップＳ４３において、モバイル機器１は、リモート録画予約の要求をサービスサーバ２−１に送信する。モバイル機器１からの要求には、制御機器・サービス管理ID、録画予約の設定先となる録画機器４−１を指定する被制御機器ID、予約情報が含まれる。予約情報には、録画の対象とするコンテンツの識別情報、チャンネル番号、放送日時などの情報が含まれる。
【０１４３】
ステップＳ５５において、サービスサーバ２−１は、モバイル機器１から送信されたリモート録画予約の要求を受信する。
【０１４４】
ステップＳ５６において、サービスサーバ２−１は、ダイレクトアクセスの開始の要求をDAPサーバ３に送信する。サービスサーバ２−１からの要求には、モバイル機器１から送信された制御機器・サービス管理ID、被制御機器IDが含まれる。
【０１４５】
ステップＳ７３において、DAPサーバ３は、サービスサーバ２−１からの要求を受信する。
【０１４６】
ステップＳ７４において、DAPサーバ３は、サービスサーバ２−１から送信された被制御機器IDに基づいて、ダイレクトアクセスの対象となる機器が録画機器４−１であることを認識する。DAPサーバ３は、録画機器４−１との間で確立されている常時セッションを介して、ダイレクトアクセスURLの取得を録画機器４−１に対して要求する。
【０１４７】
ダイレクトアクセスURLは、ダイレクトアクセスを受けるために録画機器４−１が自身に割り当てたURLである。このダイレクトアクセスURLが、サービスサーバ２−１から録画機器４−１にダイレクトアクセスを行うために必要なアクセス先の情報となる。
【０１４８】
ステップＳ９１において、録画機器４−１は、DAPサーバ３から送信された要求を受信し、ダイレクトアクセスを受けるための設定を行う。例えば、録画機器４−１は、ダイレクトアクセスを受けるためのローカルポートの開放を自宅内にあるルータに要求したり、ダイレクトアクセスURLの割り当てを行ったりする。
【０１４９】
ステップＳ９２において、録画機器４−１は、ダイレクトアクセスURLをDAPサーバ３に送信する。
【０１５０】
ステップＳ７５において、DAPサーバ３は、ダイレクトアクセスURLを受信し、ステップＳ７６において、それをサービスサーバ２−１に送信する。
【０１５１】
ステップＳ５７において、サービスサーバ２−１は、DAPサーバ３から送信されたダイレクトアクセスURLを受信する。
【０１５２】
ステップＳ５８において、サービスサーバ２−１は、ダイレクトアクセスURLに基づいて録画機器４−１にダイレクトアクセスを行い、モバイル機器１から送信された予約情報を送信することによってリモート録画予約を行う。
【０１５３】
ステップＳ９３において、録画機器４−１は、サービスサーバ２−１から送信された予約情報に基づいて、ユーザにより選択されたコンテンツを対象とする録画予約を設定する。
【０１５４】
録画予約の設定が完了したとき、ステップＳ９４において、録画機器４−１は、リモート録画予約が完了したことをサービスサーバ２−１に通知する。
【０１５５】
ステップＳ５９において、サービスサーバ２−１は、録画機器４−１からの通知を受信し、ステップＳ６０において、リモート録画予約が完了したことをモバイル機器１に通知する。
【０１５６】
ステップＳ４４において、モバイル機器１は、サービスサーバ２−１から送信された通知を受信する。
【０１５７】
以上の処理により、ユーザは、モバイル機器１を用いて、録画機器４−１に録画予約を設定することができる。
【０１５８】
次に、図８のフローチャートを参照して、予約リスト統合時の各機器の処理について説明する。
【０１５９】
録画予約の一覧を表示することがユーザにより指示されたとき、ステップＳ１０１において、モバイル機器１は、予約リストの取得要求をサービスサーバ２−１に送信する。この要求には制御機器・サービス管理IDが含まれる。
【０１６０】
ステップＳ１１１において、サービスサーバ２−１は、モバイル機器１からの要求を受信する。
【０１６１】
ステップＳ１１２において、サービスサーバ２−１は、被制御機器リストの取得要求をDAPサーバ３に送信する。被制御機器リストの取得要求には制御機器・サービス管理IDが含まれる。
【０１６２】
ステップＳ１３１において、DAPサーバ３は、サービスサーバ２−１からの要求を受信し、受信した要求に含まれる制御機器・サービス管理IDと対応付けて登録している被制御機器IDを取得する。録画機器４−１、録画機器４−２の他に、録画機器４−３の初期登録も行われている場合、DAPサーバ３の記憶部には、それらの被制御機器IDが制御機器・サービス管理IDと対応付けて記憶されている。
【０１６３】
また、被制御機器の名前も初期登録時に登録されている場合、DAPサーバ３は被制御機器の機器名も取得する。
【０１６４】
ステップＳ１３２において、DAPサーバ３は被制御機器リストを生成し、生成した被制御機器リストをサービスサーバ２−１に送信する。
【０１６５】
ステップＳ１１３において、サービスサーバ２−１は、DAPサーバ３から送信された被制御機器リストを受信する。
【０１６６】
ステップＳ１１４において、サービスサーバ２−１は、ダイレクトアクセスの開始の要求をDAPサーバ３に送信する。サービスサーバ２−１からの要求には、制御機器・サービス管理IDと、被制御機器リストに記述されている、予約リストを管理している被制御機器の被制御機器IDが含まれる。例えば、予約リストに被制御機器IDが記述されている録画機器４−１乃至４−３のうち、録画機器４−１から順に１つの機器が注目され、注目された機器の被制御機器IDが要求に含まれる。
【０１６７】
ステップＳ１３３において、DAPサーバ３は、サービスサーバ２−１からの要求を受信する。
【０１６８】
ステップＳ１３４において、DAPサーバ３は、サービスサーバ２−１から送信された被制御機器IDに基づいて、まず、ダイレクトアクセスの対象となる機器が録画機器４−１であることを認識する。DAPサーバ３は、録画機器４−１との間で確立されている常時セッションを介して、ダイレクトアクセスURLの取得を録画機器４−１に対して要求する。
【０１６９】
ステップＳ１５１において、録画機器４−１は、DAPサーバ３から送信された要求を受信し、ダイレクトアクセスを受けるための設定を行う。
【０１７０】
ステップＳ１５２において、録画機器４−１は、ダイレクトアクセスURLをDAPサーバ３に送信する。
【０１７１】
ステップＳ１３５において、DAPサーバ３は、ダイレクトアクセスURLを受信し、ステップＳ１３６において、それをサービスサーバ２−１に送信する。
【０１７２】
ステップＳ１１５において、サービスサーバ２−１は、DAPサーバ３から送信されたダイレクトアクセスURLを受信する。
【０１７３】
ステップＳ１１６において、サービスサーバ２−１は、ダイレクトアクセスURLに基づいて録画機器４−１にダイレクトアクセスを行い、予約リストの取得の要求を録画機器４−１に送信する。
【０１７４】
ステップＳ１５３において、録画機器４−１は、サービスサーバ２−１からの要求に応じて、自身が管理している予約リストを記憶部から読み出す。
【０１７５】
ステップＳ１５４において、録画機器４−１は、記憶部から読み出した予約リストをサービスサーバ２−１に送信する。
【０１７６】
ステップＳ１１７において、サービスサーバ２−１は、録画機器４−１から送信された予約リストを受信する。これにより、ダイレクトアクセスを利用して、録画機器４−１において管理されている予約リストがサービスサーバ２−１により取得された状態になる。
【０１７７】
録画機器４−１に対するダイレクトアクセスが終了したとき、同様の処理が、録画機器４−２を対象として行われる。
【０１７８】
すなわち、サービスサーバ２−１においては、ステップＳ１１４乃至Ｓ１１７と同様の処理が録画機器４−２を対象として行われ、録画機器４−２を対象とするダイレクトアクセスの要求がDAPサーバ３に対して送信される。
【０１７９】
DAPサーバ３においては、サービスサーバ２−１からの要求に応じて、ステップＳ１３３乃至Ｓ１３６と同様の処理が行われ、録画機器４−２のダイレクトアクセスURLが取得される。取得されたダイレクトアクセスURLはDAPサーバ３からサービスサーバ２−１に対して送信され、送信されたダイレクトアクセスURLに基づいて、サービスサーバ２−１から録画機器４−２に対してダイレクトアクセスが行われる。ダイレクトアクセスを利用した要求により、録画機器４−２において管理されている予約リストがサービスサーバ２−１により取得される。
【０１８０】
録画機器４−２に対するダイレクトアクセスが終了したとき、サービスサーバ２−１においては、録画機器４−３を対象とするダイレクトアクセスの要求がDAPサーバ３に対して送信される。
【０１８１】
DAPサーバ３においては、サービスサーバ２−１からの要求に応じて、録画機器４−３のダイレクトアクセスURLが取得される。取得されたダイレクトアクセスURLはDAPサーバ３からサービスサーバ２−１に対して送信され、送信されたダイレクトアクセスURLに基づいて、サービスサーバ２−１から録画機器４−３に対してダイレクトアクセスが行われる。ダイレクトアクセスを利用した要求により、録画機器４−３において管理されている予約リストがサービスサーバ２−１により取得される。
【０１８２】
これにより、録画機器４−１乃至４−３においてそれぞれ管理されている予約リストがサービスサーバ２−１により取得された状態になる。
【０１８３】
ステップＳ１１８において、サービスサーバ２−１は、全ての被制御機器分の予約リストをモバイル機器１に送信する。
【０１８４】
ステップＳ１０２において、モバイル機器１は、サービスサーバ２−１から送信された予約リストを受信し、ステップＳ１０３において、内部の記憶部から読み出すことによって、自身が管理している予約リストを取得する。
【０１８５】
ステップＳ１０４において、モバイル機器１は、録画機器４−１乃至４−３の予約リストと、自身が管理している予約リストを統合し、統合した予約リストに基づいて、それぞれの機器に設定されている録画予約の一覧画面をディスプレイに表示させる。
【０１８６】
ユーザは、図３に示されるような一覧画面から録画予約を見直し、必要に応じて、コンテンツの記録場所を変更することができる。
【０１８７】
次に、図９のフローチャートを参照して、録画の対象になっているコンテンツの記録場所を、モバイル機器１から録画機器４−１に変更する場合の各機器の処理について説明する。
【０１８８】
この処理は、図３の録画予約の一覧画面において、あるコンテンツの記録場所が「自端末」から「機器Ａ」に変更され、更新ボタンｂ2が押されたときに開始される。
【０１８９】
コンテンツの記録場所を「自端末」とする録画予約はモバイル機器１に設定された録画予約であるから、はじめに、モバイル機器１からこの録画予約を削除することが行われる。録画予約が削除された後、記録場所として新たに指定された録画機器４−１に対して、同じコンテンツを対象として録画予約を設定することが行われる。
【０１９０】
ステップＳ１６１において、モバイル機器１は、自身が管理している予約リストから、記録場所の変更が指示された録画予約の記述を削除する。
【０１９１】
ステップＳ１６２以降の処理は、図７を参照して説明したリモート録画予約の処理と同様の処理である。
【０１９２】
ステップＳ１６２において、モバイル機器１は、リモート録画予約の要求をサービスサーバ２−１に送信する。モバイル機器１からの要求には、制御機器・サービス管理ID、録画予約の設定先となる録画機器４−１の被制御機器ID、予約情報が含まれる。予約情報には、ステップＳ１６１において削除された録画予約の内容と同じ内容が含まれる。
【０１９３】
ステップＳ１７１において、サービスサーバ２−１は、モバイル機器１から送信されたリモート録画予約の要求を受信する。
【０１９４】
ステップＳ１７２において、サービスサーバ２−１は、ダイレクトアクセスの開始の要求をDAPサーバ３に送信する。サービスサーバ２−１からの要求には、モバイル機器１から送信された制御機器・サービス管理ID、被制御機器IDが含まれる。
【０１９５】
ステップＳ１９１において、DAPサーバ３は、サービスサーバ２−１からの要求を受信する。
【０１９６】
ステップＳ１９２において、DAPサーバ３は、サービスサーバ２−１から送信された被制御機器IDに基づいて、ダイレクトアクセスの対象となる機器が録画機器４−１であることを認識する。DAPサーバ３は、録画機器４−１との間で確立されている常時セッションを介して、ダイレクトアクセスURLの取得を録画機器４−１に対して要求する。
【０１９７】
ステップＳ２０１において、録画機器４−１は、DAPサーバ３から送信された要求を受信し、ダイレクトアクセスを受けるための設定を行う。
【０１９８】
ステップＳ２０２において、録画機器４−１は、ダイレクトアクセスURLをDAPサーバ３に送信する。
【０１９９】
ステップＳ１９３において、DAPサーバ３は、ダイレクトアクセスURLを受信し、ステップＳ１９４において、それをサービスサーバ２−１に送信する。
【０２００】
ステップＳ１７３において、サービスサーバ２−１は、DAPサーバ３から送信されたダイレクトアクセスURLを受信する。
【０２０１】
ステップＳ１７４において、サービスサーバ２−１は、ダイレクトアクセスURLに基づいて録画機器４−１にダイレクトアクセスを行い、モバイル機器１から送信された予約情報を送信することによってリモート録画予約を行う。
【０２０２】
ステップＳ２０３において、録画機器４−１は、サービスサーバ２−１から送信された予約情報に基づいて、モバイル機器１に設定されていた録画予約が対象としていたコンテンツと同じコンテンツを対象とする録画予約を設定する。
【０２０３】
録画予約の設定が完了したとき、ステップＳ２０４において、録画機器４−１は、リモート録画予約が完了したことをサービスサーバ２−１に通知する。
【０２０４】
ステップＳ１７５において、サービスサーバ２−１は、録画機器４−１からの通知を受信し、ステップＳ１７６において、リモート録画予約が完了したことをモバイル機器１に通知する。
【０２０５】
ステップＳ１６３において、モバイル機器１は、サービスサーバ２−１から送信された通知を受信する。
【０２０６】
以上の処理により、ユーザは、モバイル機器１に録画を行わせるつもりであったコンテンツの録画を録画機器４−１に行わせることができる。
【０２０７】
次に、図１０のフローチャートを参照して、録画の対象になっているコンテンツの記録場所を、録画機器４−１からモバイル機器１に変更する場合の各機器の処理について説明する。
【０２０８】
この処理は、図３の録画予約の一覧画面において、あるコンテンツの記録場所が「機器Ａ」から「自端末」に変更され、更新ボタンｂ2が押されたときに開始される。
【０２０９】
コンテンツの記録場所を「機器Ａ」とする録画予約は録画機器４−１に設定された録画予約であるから、はじめに、録画機器４−１からこの録画予約を削除することが行われる。録画予約が削除された後、記録場所として新たに指定されたモバイル機器１に対して、同じコンテンツを対象とした録画予約を設定することが行われる。
【０２１０】
ステップＳ２１１において、モバイル機器１は、リモート録画予約の削除の要求をサービスサーバ２−１に送信する。モバイル機器１からの要求には、制御機器・サービス管理ID、削除対象の録画予約が設定されている録画機器４−１の被制御機器ID、予約情報が含まれる。予約情報には、削除する録画予約の内容が含まれる。
【０２１１】
ステップＳ２２１において、サービスサーバ２−１は、モバイル機器１から送信されたリモート録画予約の削除の要求を受信する。
【０２１２】
ステップＳ２２２において、サービスサーバ２−１は、ダイレクトアクセスの開始の要求をDAPサーバ３に送信する。サービスサーバ２−１からの要求には、モバイル機器１から送信された制御機器・サービス管理ID、被制御機器IDが含まれる。
【０２１３】
ステップＳ２４１において、DAPサーバ３は、サービスサーバ２−１からの要求を受信する。
【０２１４】
ステップＳ２４２において、DAPサーバ３は、サービスサーバ２−１から送信された被制御機器IDに基づいて、ダイレクトアクセスの対象となる機器が録画機器４−１であることを認識する。DAPサーバ３は、録画機器４−１との間で確立されている常時セッションを介して、ダイレクトアクセスURLの取得を録画機器４−１に対して要求する。
【０２１５】
ステップＳ２５１において、録画機器４−１は、DAPサーバ３から送信された要求を受信し、ダイレクトアクセスを受けるための設定を行う。
【０２１６】
ステップＳ２５２において、録画機器４−１は、ダイレクトアクセスURLをDAPサーバ３に送信する。
【０２１７】
ステップＳ２４３において、DAPサーバ３は、ダイレクトアクセスURLを受信し、ステップＳ２４４において、それをサービスサーバ２−１に送信する。
【０２１８】
ステップＳ２２３において、サービスサーバ２−１は、DAPサーバ３から送信されたダイレクトアクセスURLを受信する。
【０２１９】
ステップＳ２２４において、サービスサーバ２−１は、ダイレクトアクセスURLに基づいて録画機器４−１にダイレクトアクセスを行い、モバイル機器１から送信された予約情報を送信することによって、録画予約の削除を指示する。
【０２２０】
ステップＳ２５３において、録画機器４−１は、サービスサーバ２−１から送信された予約情報に基づいて、削除することが指示された録画予約を削除する。
【０２２１】
録画予約を削除したとき、ステップＳ２５４において、録画機器４−１は、録画予約を削除したことをサービスサーバ２−１に通知する。
【０２２２】
ステップＳ２２５において、サービスサーバ２−１は、録画機器４−１からの通知を受信し、ステップＳ２２６において、録画予約を削除したことをモバイル機器１に通知する。
【０２２３】
ステップＳ２１２において、モバイル機器１は、サービスサーバ２−１から送信された通知を受信する。
【０２２４】
ステップＳ２１３において、モバイル機器１は、録画機器４−１に設定されていた録画予約が対象としていたコンテンツと同じコンテンツを対象とする録画予約を設定する。
【０２２５】
以上の処理により、ユーザは、録画機器４−１に録画を行わせるつもりであったコンテンツの録画をモバイル機器１に行わせることができる。
【０２２６】
次に、図１１のフローチャートを参照して、録画の対象になっているコンテンツの記録場所を、録画機器４−１から録画機器４−２に変更する場合の各機器の処理について説明する。
【０２２７】
この処理は、図３の録画予約の一覧画面において、あるコンテンツの記録場所が「機器Ａ」から「機器Ｂ」に変更され、更新ボタンｂ2が押されたときに開始される。
【０２２８】
コンテンツの記録場所を「機器Ａ」とする録画予約は録画機器４−１に設定された録画予約であるから、はじめに、録画機器４−１からこの録画予約を削除することが行われる。録画予約が削除された後、記録場所として新たに指定された録画機器４−２に対して、同じコンテンツを対象とした録画予約を設定することが行われる。
【０２２９】
すなわち、この処理は、ダイレクトアクセスを利用して被制御機器から録画予約を削除する処理と、ダイレクトアクセスを利用して被制御機器に録画予約を設定する処理を組み合わせた処理となる。
【０２３０】
録画機器４−１に設定されている録画予約を削除する処理は、ステップＳ２１３の処理を除く、図１０の処理と同様の処理である。
【０２３１】
ステップＳ２６１において、モバイル機器１は、リモート録画予約の削除の要求をサービスサーバ２−１に送信する。モバイル機器１からの要求には、制御機器・サービス管理ID、削除対象の録画予約が設定されている録画機器４−１の被制御機器ID、予約情報が含まれる。予約情報には、削除する録画予約の内容が含まれる。
【０２３２】
ステップＳ２７１において、サービスサーバ２−１は、モバイル機器１から送信されたリモート録画予約の削除の要求を受信する。
【０２３３】
ステップＳ２７２において、サービスサーバ２−１は、ダイレクトアクセスの開始の要求をDAPサーバ３に送信する。サービスサーバ２−１からの要求には、モバイル機器１から送信された制御機器・サービス管理ID、被制御機器IDが含まれる。
【０２３４】
ステップＳ２９１において、DAPサーバ３は、サービスサーバ２−１からの要求を受信する。
【０２３５】
ステップＳ２９２において、DAPサーバ３は、サービスサーバ２−１から送信された被制御機器IDに基づいて、ダイレクトアクセスの対象となる機器が録画機器４−１であることを認識する。DAPサーバ３は、録画機器４−１との間で確立されている常時セッションを介して、ダイレクトアクセスURLの取得を録画機器４−１に対して要求する。
【０２３６】
ステップＳ３１１において、録画機器４−１は、DAPサーバ３から送信された要求を受信し、ダイレクトアクセスを受けるための設定を行う。
【０２３７】
ステップＳ３１２において、録画機器４−１は、ダイレクトアクセスURLをDAPサーバ３に送信する。
【０２３８】
ステップＳ２９３において、DAPサーバ３は、ダイレクトアクセスURLを受信し、ステップＳ２９４において、それをサービスサーバ２−１に送信する。
【０２３９】
ステップＳ２７３において、サービスサーバ２−１は、DAPサーバ３から送信されたダイレクトアクセスURLを受信する。
【０２４０】
ステップＳ２７４において、サービスサーバ２−１は、ダイレクトアクセスURLに基づいて録画機器４−１にダイレクトアクセスを行い、モバイル機器１から送信された予約情報を送信することによって、録画予約の削除を指示する。
【０２４１】
ステップＳ３１３において、録画機器４−１は、サービスサーバ２−１から送信された予約情報に基づいて、削除することが指示された録画予約を削除する。
【０２４２】
録画予約を削除したとき、ステップＳ３１４において、録画機器４−１は、録画予約を削除したことをサービスサーバ２−１に通知する。
【０２４３】
ステップＳ２７５において、サービスサーバ２−１は、録画機器４−１からの通知を受信し、ステップＳ２７６において、録画予約を削除したことをモバイル機器１に通知する。
【０２４４】
ステップＳ２６２において、モバイル機器１は、サービスサーバ２−１から送信された通知を受信する。
【０２４５】
録画機器４−２に録画予約を設定する処理は、ステップＳ１６１の処理を除く、図９の処理と同様の処理である。
【０２４６】
ステップＳ２６３において、モバイル機器１は、リモート録画予約の要求をサービスサーバ２−１に送信する。モバイル機器１からの要求には、制御機器・サービス管理ID、録画予約の設定先となる録画機器４−２の被制御機器ID、予約情報が含まれる。予約情報には、録画機器４−１から削除した録画予約の内容と同じ内容が含まれる。
【０２４７】
ステップＳ２７７において、サービスサーバ２−１は、モバイル機器１から送信されたリモート録画予約の要求を受信する。
【０２４８】
ステップＳ２７８において、サービスサーバ２−１は、ダイレクトアクセスの開始の要求をDAPサーバ３に送信する。サービスサーバ２−１からの要求には、モバイル機器１から送信された制御機器・サービス管理ID、被制御機器IDが含まれる。
【０２４９】
ステップＳ２９５において、DAPサーバ３は、サービスサーバ２−１からの要求を受信する。
【０２５０】
ステップＳ２９６において、DAPサーバ３は、サービスサーバ２−１から送信された被制御機器IDに基づいて、ダイレクトアクセスの対象となる機器が録画機器４−２であることを認識する。DAPサーバ３は、録画機器４−２との間で確立されている常時セッションを介して、ダイレクトアクセスURLの取得を録画機器４−２に対して要求する。
【０２５１】
ステップＳ３２１において、録画機器４−２は、DAPサーバ３から送信された要求を受信し、ダイレクトアクセスを受けるための設定を行う。
【０２５２】
ステップＳ３２２において、録画機器４−２は、ダイレクトアクセスURLをDAPサーバ３に送信する。
【０２５３】
ステップＳ２９７において、DAPサーバ３は、ダイレクトアクセスURLを受信し、ステップＳ２９８において、それをサービスサーバ２−１に送信する。
【０２５４】
ステップＳ２７９において、サービスサーバ２−１は、DAPサーバ３から送信されたダイレクトアクセスURLを受信する。
【０２５５】
ステップＳ２８０において、サービスサーバ２−１は、ダイレクトアクセスURLに基づいて録画機器４−２にダイレクトアクセスを行い、モバイル機器１から送信された予約情報を送信することによってリモート録画予約を行う。
【０２５６】
ステップＳ３２３において、録画機器４−２は、サービスサーバ２−１から送信された予約情報に基づいて、録画機器４−１に設定されていた録画予約が対象としていたコンテンツと同じコンテンツを対象とした録画予約を設定する。
【０２５７】
録画予約の設定が完了したとき、ステップＳ３２４において、録画機器４−２は、録画予約の設定が完了したことをサービスサーバ２−１に通知する。
【０２５８】
ステップＳ２８１において、サービスサーバ２−１は、録画機器４−２からの通知を受信し、ステップＳ２８２において、録画予約の設定が完了したことをモバイル機器１に通知する。
【０２５９】
ステップＳ２６４において、モバイル機器１は、サービスサーバ２−１から送信された通知を受信する。
【０２６０】
以上の処理により、ユーザは、録画機器４−１に録画を行わせるつもりであったコンテンツの録画を録画機器４−２に行わせることができる。
【０２６１】
以上においては、録画の対象になっているコンテンツの記録場所を変更するとき、先に、変更元の機器に設定されている録画予約を削除し、その後、変更先の機器に対して録画予約を設定するものとしたが、変更先の機器に対して録画予約を設定してから、変更元の機器に設定されている録画予約を削除するようにしてもよい。
【０２６２】
また、以上においては、放送コンテンツを対象とした場合の処理について説明したが、対象となるコンテンツは、インターネットを介して提供されるダウンロードコンテンツやストリーミングコンテンツであってもよい。ダウンロードコンテンツなどを対象とした場合も同様に、コンテンツの予約リストを統合させる処理や、記録場所の機器を変更する処理などが行われる。
【０２６３】
当然、放送コンテンツを対象とした予約リストと、ダウンロードコンテンツやストリーミングコンテンツを対象とした予約リストを統合し、録画予約の一覧画面を表示させるような処理が行われるようにしてもよい。
【０２６４】
次に、各機器の構成について説明する。
【０２６５】
図１２は、モバイル機器１のハードウエア構成の一部の例を示すブロック図である。
【０２６６】
モバイル機器１がワンセグ放送対応の携帯電話機である場合、モバイル機器１には、通話機能を実現する構成やワンセグ放送の受信、録画機能を実現する構成のほかに、図１２に示されるような構成も設けられる。
【０２６７】
CPU(Central Processing Unit)１１、ROM(Read Only Memory)１２、RAM(Random Access Memory)１３は、バス１４により相互に接続される。
【０２６８】
バス１４には、さらに、入出力インタフェース１５が接続される。入出力インタフェース１５には、テンキー、十字キー、各種の項目を選択するときに操作される決定ボタンなどよりなる入力部１６、LCD(Liquid Crystal Display)などよりなるディスプレイ１７、不揮発性のメモリなどよりなる記憶部１８、サービスサーバ２−１との間で通信を行う通信部１９、メモリカードなどのリムーバブルメディア２１を駆動するドライブ２０が接続される。
【０２６９】
モバイル機器１においては、ROM１２や記憶部１８に記憶されているプログラムがCPU１１により実行されることによって上述したような一連の処理が行われる。
【０２７０】
図１２に示されるような構成と同じ構成をサービスサーバ２−１、DAPサーバ３、録画機器４−１等も有している。
【０２７１】
図１３は、モバイル機器１の機能構成例を示すブロック図である。図１３に示す機能部のうちの少なくとも一部は、図１２のCPU１１により所定のプログラムが実行されることによって実現される。
【０２７２】
図１３に示されるように、モバイル機器１は、サービスサーバ通信部３１、録画管理部３２、予約リスト保存領域３３、予約リスト統合部３４、および表示制御部３５から構成される。
【０２７３】
サービスサーバ通信部３１は、サービスサーバ２−１と通信を行い、リモート録画予約の要求や、被制御機器において管理されている予約リストを取得することの要求などの各種の要求を送信する。
【０２７４】
また、サービスサーバ通信部３１は、要求に応じてサービスサーバ２−１から送信された情報を受信する。例えば、被制御機器において管理されている予約リストがサービスサーバ２−１から送信された場合、サービスサーバ通信部３１は、予約リストを受信し、取得した予約リストを予約リスト統合部３４に出力する。
【０２７５】
録画管理部３２は、録画予約の内容を予約リスト保存領域３３に記憶されている予約リストに記述し、録画予約を管理する。録画管理部３２は、録画の対象になっているコンテンツの放送が開始されたとき、図示せぬ録画部を制御し、予約リストに記述されている内容に従って録画を行わせる。
【０２７６】
録画管理部３２は、入力部１６に対するユーザの入力に応じて録画予約を設定したり、図３に示されるような録画予約の一覧画面を表示することが指示されたとき、予約リスト保存領域３３から予約リストを読み出し、読み出した予約リストを予約リスト統合部３４に出力したりする。
【０２７７】
また、録画管理部３２は、録画予約の一覧画面から、コンテンツの記録場所をモバイル機器１から他の機器に変更することが指示された場合、そのコンテンツを対象とする録画予約を予約リストから削除するとともに、削除した録画予約の内容を含む予約情報をサービスサーバ通信部３１に出力する。この予約情報に基づいて、記録場所の変更先となる機器に対して録画予約が設定される。
【０２７８】
予約リスト保存領域３３は記憶部１８に形成される領域であり、予約リストを記憶する。
【０２７９】
予約リスト統合部３４は、サービスサーバ通信部３１から供給された予約リストと、録画管理部３２から供給された予約リストを統合し、統合した予約リストを表示制御部３５に出力する。
【０２８０】
表示制御部３５は、予約リスト統合部３４から供給された予約リストに基づいて録画予約の一覧画面をディスプレイ１７に表示させる。
【０２８１】
図１４は、サービスサーバ２−１の機能構成例を示すブロック図である。図１４に示す機能部のうちの少なくとも一部は、サービスサーバ２−１のCPUにより所定のプログラムが実行されることによって実現される。
【０２８２】
図１４に示されるように、サービスサーバ２−１は、DAPサーバ通信部４１、制御機器通信部４２、およびダイレクトアクセス処理部４３から構成される。
【０２８３】
DAPサーバ通信部４１はDAPサーバ３と通信を行い、例えば、被制御機器リストをDAPサーバ３に要求する。DAPサーバ通信部４１は、DAPサーバ３から送信された被制御機器リストなどの情報を受信し、受信した情報を制御機器通信部４２に出力する。
【０２８４】
制御機器通信部４２は、制御機器であるモバイル機器１と通信を行い、DAPサーバ通信部４１から供給された被制御機器リストをモバイル機器１に送信したり、モバイル機器１からの各種の要求を受信したりする。
【０２８５】
制御機器通信部４２は、モバイル機器１からの要求に応じてダイレクトアクセス処理部４３にダイレクトアクセスを行わせ、ダイレクトアクセス処理部４３において被制御機器から取得された予約リストをモバイル機器１に送信する。
【０２８６】
ダイレクトアクセス処理部４３は、録画機器４−１に対してダイレクトアクセスを行うとき、DAPサーバ３に問い合わせることによって、ダイレクトアクセスを行うために必要な情報を取得する。ダイレクトアクセス処理部４３は、取得した情報に基づいて録画機器４−１にダイレクトアクセスを行い、ユーザによる指示に応じた処理を録画機器４−１に行わせる。
【０２８７】
図１５は、DAPサーバ３の機能構成例を示すブロック図である。図１５に示す機能部のうちの少なくとも一部は、DAPサーバ３のCPUにより所定のプログラムが実行されることによって実現される。
【０２８８】
図１５に示されるように、DAPサーバ３は、被制御機器通信部５１、情報管理部５２、記憶部５３、およびサービスサーバ通信部５４から構成される。
【０２８９】
被制御機器通信部５１は、録画機器４−１との間で常時セッションを確立し、録画機器４−１と通信を行う。また、被制御機器通信部５１は、初期登録時、録画機器４−１から送信された登録用パスワードなどの情報を受信し、受信した登録用パスワードを情報管理部５２に出力する。
【０２９０】
情報管理部５２は、登録用パスワード、制御機器・サービス管理ID、被制御機器IDを生成し、生成したそれらの情報をサービスサーバ通信部５４に出力してサービスサーバ２−１に送信させるとともに、記憶部５３に記憶させて管理する。情報管理部５２は、初期登録時、被制御機器通信部５１から供給された登録用パスワードが、記憶部５３に記憶させていたものと一致するか否かを判断し、被制御機器の正当性の認証を行ったりもする。
【０２９１】
また、情報管理部５２は、ダイレクトアクセスの開始の要求がサービスサーバ２−１から送信され、サービスサーバ通信部５４を介して供給されたとき、被制御機器通信部５１を制御して録画機器４−１にアクセスし、各種の設定を行わせる。情報管理部５２は、各種の設定を行わせることによって取得された、ダイレクトアクセスを行うために必要な情報をサービスサーバ通信部５４に出力し、サービスサーバ２−１に送信させる。
【０２９２】
サービスサーバ通信部５４は、サービスサーバ２−１と通信を行い、例えば、ダイレクトアクセスの開始がサービスサーバ２−１から要求されたとき、その要求を情報管理部５２に出力する。サービスサーバ通信部５４は、ダイレクトアクセスを行うために必要な情報が情報管理部５２により取得され、情報管理部５２から供給されたとき、その情報をサービスサーバ２−１に送信する。
【０２９３】
図１６は、録画機器４−１の機能構成例を示すブロック図である。図１６に示す機能部のうちの少なくとも一部は、録画機器４−１のCPUにより所定のプログラムが実行されることによって実現される。
【０２９４】
図１６に示されるように、録画機器４−１は、ダイレクトアクセス受付部６１、録画管理部６２、予約リスト保存領域６３、およびDAPサーバ通信部６４から構成される。
【０２９５】
ダイレクトアクセス受付部６１は、サービスサーバ２−１からのダイレクトアクセスを受け付け、ダイレクトアクセスによって行われるサービスサーバ２−１からの要求を録画管理部６２に通知する。例えば、ダイレクトアクセス受付部６１は、予約リストの読み出しが要求されたとき、録画予約の設定または削除が要求されたとき、そのことを録画管理部６２に通知する。
【０２９６】
また、ダイレクトアクセス受付部６１は、録画管理部６２から供給された予約リストをサービスサーバ２−１に送信したり、録画管理部６２により行われた録画予約の設定または削除の結果をサービスサーバ２−１に通知したりする。
【０２９７】
録画管理部６２は、録画予約の内容を予約リスト保存領域６３に記憶されている予約リストに記述して録画予約を管理する。録画管理部６２は、録画の対象になっているコンテンツの放送が開始されたとき、図示せぬ録画部を制御し、予約リストに記述されている内容に従って録画を行わせる。
【０２９８】
DAPサーバ通信部６４は、DAPサーバ３との間で常時セッションを確立し、DAPサーバ３と通信を行う。
【０２９９】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどにインストールされる。
【０３００】
インストールされるプログラムは、光ディスク（CD-ROM(Compact Disc-Read Only Memory)，DVD(Digital Versatile Disc)等）や半導体メモリなどよりなる図１２に示されるリムーバブルメディア２１に記録して、あるいは、ローカルエリアネットワーク、インターネット、デジタル放送といった、有線または無線の伝送媒体を介して提供される。プログラムは、ROM１２や記憶部１８に、あらかじめインストールしておくことができる。
【０３０１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３０２】
本発明の実施の形態は、上述した実施の形態に限定されるものではなく、本発明の要旨を逸脱しない範囲において種々の変更が可能である。
【図面の簡単な説明】
【０３０３】
【図１】本発明の一実施形態に係る通信システムの構成例を示す図である。
【図２】予約リストの統合の全体的な流れを示す図である。
【図３】録画予約の一覧画面の例を示す図である。
【図４】初期登録の全体的な流れを示す図である。
【図５】初期登録時の各機器の処理について説明するフローチャートである。
【図６】リモート録画予約の全体的な流れを示す図である。
【図７】リモート録画予約時の各機器の処理について説明するフローチャートである。
【図８】予約リスト統合時の各機器の処理について説明するフローチャートである。
【図９】コンテンツの記録場所を変更する場合の各機器の処理について説明するフローチャートである。
【図１０】コンテンツの記録場所を変更する場合の各機器の他の処理について説明するフローチャートである。
【図１１】コンテンツの記録場所を変更する場合の各機器のさらに他の処理について説明するフローチャートである。
【図１２】モバイル機器のハードウエア構成の一部の例を示すブロック図である。
【図１３】モバイル機器の機能構成例を示すブロック図である。
【図１４】サービスサーバの機能構成例を示すブロック図である。
【図１５】DAPサーバの機能構成例を示すブロック図である。
【図１６】録画機器の機能構成例を示すブロック図である。
【符号の説明】
【０３０４】
１  モバイル機器，  ２−１，２−２  サービスサーバ，  ３  DAPサーバ，  ４  録画機器，  ３１  サービスサーバ通信部，  ３２  録画管理部，  ３３  予約リスト保存領域，  ３４  予約リスト統合部，  ３５  表示制御部
【図１】
0004488064.tif 000002
【図２】
0004488064.tif 000003
【図３】
0004488064.tif 000004
【図４】
0004488064.tif 000005
【図５】
0004488064.tif 000006
【図６】
0004488064.tif 000007
【図７】
0004488064.tif 000008
【図８】
0004488064.tif 000009
【図９】
0004488064.tif 000010
【図１０】
0004488064.tif 000011
【図１１】
0004488064.tif 000012
【図１２】
0004488064.tif 000013
【図１３】
0004488064.tif 000014
【図１４】
0004488064.tif 000015
【図１５】
0004488064.tif 000016
【図１６】
0004488064.tif 000017